(57)【要約】  熱交換器から飛散して支柱およびパネル体の内壁面に付着した凝縮水を、機外に漏らすことなくドレンパンへ確実に導くことのできる空調用室内機が望まれている。この空調用室内機は、基台周枠と、基台周枠の上方に立設される支柱と、パネル体とを備えて成る箱状本体が構成され、箱状本体内に、熱交換器と、ドレンパンと、送風機とが配備されていて、基台周枠の上辺部から枠内内向きに延在する内周板部が設けられ、内周板部の内向き先端部に垂れ板部が設けられ、支柱が基台周枠の内方位置で内周板部上に立設され、更に、ドレンパンの上面開口縁部が垂れ板部と基台周枠の間でそれぞれと離間した位置かつ内周板部よりも下方で内周板部と離間した位置に在るように、ドレンパンが配置されている。
2017022072.tif 000002
【特許請求の範囲】
【請求項１】
基台周枠と、前記基台周枠の上方に立設される少なくとも３本の支柱と、前記支柱間に被設されるパネル体とを備えて成る箱状本体が構成され、前記箱状本体内に、冷媒回路の一部を構成する熱交換器と、前記熱交換器からの凝縮水を収受する上面が開口したドレンパンと、前記熱交換器へ送風するための送風機とが配備されていて、前記基台周枠の上辺部から枠内内向きに延在する内周板部が前記上辺部の全周にわたって設けられ、前記内周板部の内向き先端部には下向きに延在する垂れ板部が設けられ、前記支柱が前記基台周枠の内方位置で前記内周板部上に立設され、更に、前記ドレンパンの上面開口縁部が前記垂れ板部と前記基台周枠の間でそれぞれと離間した位置かつ前記内周板部よりも下方で前記内周板部と離間した位置に在るように、前記ドレンパンが配置されていることを特徴とする空調用室内機。
【請求項２】
ドレンパンが勾配度合可変に基台周枠内に設置されていることを特徴とする請求項１に記載の空調用室内機。
【請求項３】
内周板部上に取り付けられた柱支持部材を介して、支柱が基台周枠の内方位置に立設されていることを特徴とする請求項１または請求項２に記載の空調用室内機。
【請求項４】
内周板部が枠内内向きに下る勾配で形成されているとともに、前記内周板部上に支持される柱支持部材の載置面部が前記内周板部と同じ勾配で形成されていることを特徴とする請求項３に記載の空調用室内機。
【請求項５】
ドレンパンが、基台周枠の内壁に点接触または線接触で固定されるとともに、前記ドレンパンの上面開口縁部に伝熱抑制穴が上下貫通して形成されていることを特徴とする請求項１から請求項４のいずれか一項に記載の空調用室内機。
【発明の詳細な説明】
【技術分野】
【０００１】
この発明は、被空調室内に設置されて冷房や暖房を行う床置き型の空調用室内機に係り、更に詳しくは、ドレンパンの漏水耐性を向上させることのできる空調用室内機に関するものである。
【背景技術】
【０００２】
従来、冷房や暖房を行うために被空調室内に設置される空気調和装置の空調用室内機は、台枠と、台枠の四隅に立設される四本の支柱と、支柱間および天面開口に被設されるパネル体と、から構成された箱状本体を備えている。前記の箱状本体内には、冷媒回路の熱交換器、送風機、および、熱交換器からの凝縮水を収受するドレンパンが配備されている。前記のドレンパンは箱状本体内の下部に凝縮水などが落下した場合でも、機外に漏水させないようにするものである。そして、床上に設置された空調用室内機は、熱交換器で冷却した冷却空気を箱状本体の上面から吹き出して被空調空間内を快適にするようになっている。
ところで、前記のドレンパンは、熱交換器の外表面で生じた凝縮水を機外に漏らさない構造が必要である。また、ドレンパンの経年劣化による塗装剥がれが発生した場合のためにドレンパンを交換できる構造も必要である。更には、ドレンパンにおける凝縮水の排水方向は、空調用室内機の左右側面のどちらからでも排水可能となる構造が望まれている。【０００３】
このような従来の空調用室内機では、ドレンパンが台枠の上部に設置され、支柱の内周面にドレンパンが当接して固定されている。そして、パネル体内に付着した凝縮水および支柱を伝って落ちる凝縮水を機外へ漏水させないために、支柱の最下端に台枠が設置されている。すなわち、支柱をドレンパンの下方位置にある台枠に立設する構造となっている。また、支柱やパネル体の内面に付着した凝縮水をドレンパンへ導くために、パネル体の先端はドレンパン内に曲げ入れられている。
【先行技術文献】
【特許文献】
【０００４】
【特許文献１】特開２００９-２４３７９９号公報
【特許文献２】特開２０１３-１９６３１号公報
【発明の概要】
【発明が解決しようとする課題】
【０００５】
ところで、上記した特許文献１および特許文献２に記載の空調用室内機は、ドレンパンと台枠とが溶接により一体に構成されているため、ドレンパンの交換が不可能な構造である。また、ドレンパンの構造により凝縮水の排水方向が定められているため、現地の状況に合わせて排水方向を変えられないという問題がある。また、従来構成では、熱交換器からの凝縮水がパネル体と支柱との間に入り込み、台枠の縁に乗って機外へ漏水するおそれがある。【０００６】
この発明は、上記のような課題を解決するためになされたもので、熱交換器から飛散して支柱およびパネル体の内壁面に付着した凝縮水を、機外に漏らすことなくドレンパンへ確実に導くことのできる空調用室内機を得ることを目的とする。
【課題を解決するための手段】
【０００７】
この発明に係る空調用室内機は、基台周枠と、基台周枠の上方に立設される少なくとも３本の支柱と、支柱間に被設されるパネル体とを備えて成る箱状本体が構成され、箱状本体内に、冷媒回路の一部を構成する熱交換器と、熱交換器からの凝縮水を収受する上面が開口したドレンパンと、熱交換器へ送風するための送風機とが配備されていて、基台周枠の上辺部から枠内内向きに延在する内周板部が上辺部の全周にわたって設けられ、内周板部の内向き先端部には下向きに延在する垂れ板部が設けられ、支柱が基台周枠の内方位置で内周板部上に立設され、更に、ドレンパンの上面開口縁部が垂れ板部と基台周枠の間でそれぞれと離間した位置かつ内周板部よりも下方で内周板部と離間した位置に在るように、ドレンパンが配置されているものである。
【発明の効果】
【０００８】
この発明に係る空調用室内機は、台枠が内向きに傾斜した内周板部と垂れ板部とを有し、各支柱が基台周枠の内方位置に立設されているので、送風機からの風により凝縮水が熱交換器から飛散して支柱やパネル体の内壁面に付着した場合でも、機外に漏らすことなく、傾斜した内周板部上に凝縮水を落として垂れ板部からドレンパン内へと確実に導くことができる。
【図面の簡単な説明】
【０００９】
【図１】この発明の実施の形態１における空調用室内機の前パネル体を取り外した状態で示す斜視図である。
【図２】前記空調用室内機の台枠およびドレンパンを示す図であって、（ａ）は平面図、（ｂ）は（ａ）におけるＡ−Ａ線矢視断面図である。
【図３】前記台枠およびドレンパンの構成部品を分解した状態を示す分解斜視図である。
【図４】前記台枠の一部と柱支持部材とを示す部分拡大斜視図である。
【図５】前記ドレンパンを示す図であって、（ａ）は斜視図、（ｂ）は部分拡大斜視図である。
【図６】前記台枠およびドレンパンの要部を示す部分拡大縦断面図である。
【図７】前記台枠と水平に配置されたドレンパンを示す図であって、（ａ）は正断面図、（ｂ）は（ａ）におけるＢ−Ｂ線矢視図である。
【図８】前記台枠と勾配を付けられた後のドレンパンを示す図であって、（ａ）は正断面図、（ｂ）は（ａ）におけるＢ−Ｂ線矢視図である。
【発明を実施するための形態】
【００１０】
以下、本発明の実施形態を図面に基づいて説明する。
実施の形態１．
図１はこの発明の実施の形態１における空調用室内機の前パネル体を取り外した状態で示す斜視図、図２は前記空調用室内機の台枠およびドレンパンを示す図であって、（ａ）は平面図、（ｂ）は（ａ）におけるＡ−Ａ線矢視断面図、図３は前記台枠およびドレンパンの構成部品を分解した状態を示す分解斜視図、図４は前記台枠の一部と柱支持部材とを示す部分拡大斜視図である。
各図において、この実施形態に係る空調用室内機は、内部が通風路となっている箱状本体５を備えている。この箱状本体５は、前面に空気吸込口２０を有し、上面に空気吹出口２１を有している。そして、箱状本体５は、床面などに置かれる台枠１５と、台枠１５における基台周枠１５ｃの四隅部に配置された４本の支柱１２，１２，１２，１２と、前後の支柱１２，１２間に被設される左右のパネル体６，７と、左右の支柱１２，１２間に被設される前後のパネル体（符号付け省略）と、上面を被う天パネル体８と、から構成されている。
【００１１】
前記の空気吹出口２１は天パネル体８に形成されており、空気吸込口２０は、熱交換器１１の前方を被う前面パネル体（図示省略）に形成されている。箱状本体５内には、冷媒回路の一部を構成する熱交換器１１と、熱交換器１１の外表面で生じて滴下した凝縮水を収受するために上面が開口して形成されたドレンパン１４と、熱交換器１１へ送風するための送風機９と、送風機９を駆動させるモータ１０と、が配備されている。尚、図１中において、符号の１３は各種制御部品を収容した制御品箱であり、符号の１６は熱交換器１１とつながる冷媒回路の冷媒配管である。
【００１２】
前記の台枠１５は、四方の竪板金から成るとともに平面視で長方形状に形成された基台周枠１５ｃを備えている。この基台周枠１５ｃの上辺部１５ｄには、枠内内向きに延在する内周板部１５ａが上辺部１５ｄの全周にわたって設けられている。そして、内周板部１５ａの内向き先端部１５ｅには、下向きに延在する垂れ板部１５ｂが設けられている。内周板部１５ａは枠内内向きに下る勾配で形成されている。そして、内周板部１５ａ上に支持される柱支持部材１７の載置面部１７ａは、内周板部１５ａと同じ勾配で形成されている。このような構造により、各支柱１２が垂直姿勢に立設されることとなる。
【００１３】
柱支持部材１７は、平面視でＬ字状に形成されるとともに側面視でＺ字状に形成されており、台枠１５の内周板部１５ａ上に載置支持される載置面部１７ａと、載置面部１７ａの傾斜下端部から垂直上向きに延在して支柱１２をビスなどで固定支持する支持部１７ｃと、載置面部１７ａの傾斜上端部から垂直下向きに延在して台枠１５の基台周枠１５ｃに溶接などで接合される竪板部１７ｄと、から構成されている。支持部１７ｃと竪板部１７ｄとは略平行の向きに配置されている。支持部１７ｃまたは竪板部１７ｄに対する載置面部１７ａの傾斜角度は、基台周枠１５ｃに対する内周板部１５ａの傾斜角度と同じである。各支柱１２は、内周板部１５ａ上に取り付けられた柱支持部材１７を介して基台周枠１５ｃよりも内方の位置に立設される。柱支持部材１７の支持部１７ｃへのねじ止めの際に、各支柱１２は、その下端面が台枠１５の内周板部１５ａ上に設置される。
そして、支持部１７ｃの内隅部の下端位置には、貫通穴１７ｂが内外貫通して形成されている。このような貫通穴１７ｂを設けたことで、熱交換器１１からの凝縮水が柱支持部材１７の内隅部に至った場合でも、凝縮水はそこに溜まることがなく、貫通穴１７ｂを避けて、或いは貫通穴１７ｂを通って上辺部１５ｄ近傍の内周板部１５ａ上に至ったのちに流下してドレンパン１４内に導かれ得る。
【００１４】
ドレンパン１４は、図５に示すように、角皿状に形成されていて左右の底部に排水口２６，２６が設けられている。そして、基台周枠１５ｃと締結するために、ドレンパン４の一部を構成する一対の固定用板金１８，１８がドレンパン１４の左右辺部に取り付けられている。そして、各固定用板金１８における雌ネジ部２３近傍の上面開口縁部１４ａには、角穴状の伝熱抑制穴１８ａ，１８ａが上下貫通して形成されている。固定用板金１８と基台周枠１５ｃの内壁１５ｆとは、段付きねじ２４を用いて面接触ではなく点接触または線接触で固定される。これらにより、伝熱抑制の目的が果たされる。すなわち、熱交換器１１の凝縮水で冷やされるドレンパン１４からの冷熱の伝導を抑制することにより、段付きねじ２４で連結される基台周枠１５ｃの表面での結露を防ぐのである。
【００１５】
また、ドレンパン１４は、図６に示すように、その上面開口縁部１４ａが台枠１５の垂れ板部１５ｂと基台周枠１５ｃとの間でそれぞれと離間した位置に隙間Ｓ１を隔てて存在し、かつ台枠１５の内周板部１５ａの下面よりも下方でその下面から離間した位置に隙間Ｓ２を隔てて存在するように、配置されている。ドレンパン１４の上面開口縁部１４ａは、垂れ板部１５ｂとの間に３〜７ｍｍの隙間Ｓ１を隔てて配置されている。隙間Ｓ１が３ｍｍを下回ると、ドレンパン１４の取り付け時に垂れ板部１５ｂと接触干渉したままになったり、垂れ板部１５ｂがドレンパン１４からの伝熱を受けやすくなったりする。一方、隙間Ｓ１が７ｍｍを超えると、台枠１５全体が大きくなり過ぎて材料コストその他の製造コストが高くなるおそれがある。また、ドレンパン１４の上面開口縁部１４ａは、内周板部１５ａの下面との間に２〜５ｍｍの隙間Ｓ２を隔てて配置されている。こちらも、隙間Ｓ２が２ｍｍを下回る場合は取り付け時に内周板部１５ａと接触干渉したままになったり、垂内周板部１５ａがドレンパン１４からの伝熱を受けやすくなったりする。隙間Ｓ２が５ｍｍを超える場合は台枠１５全体が大きくなり過ぎるという不具合を生じる。
【００１６】
そして、ドレンパン１４は、勾配可変機構２５の作用により左右方向の勾配度合θを可変にされて基台周枠１５ｃ内に設置されている。この勾配可変機構２５は、例えば台枠１５の左右の基台周枠１５ｃ，１５ｃに形成された前後一対の位置決め穴２２Ａ，２２Ａと、位置決め穴２２Ａ，２２Ａの下方位置に形成された前後一対の位置決め穴２２Ｂ，２２Ｂと、これらの位置決め穴２２Ａ，２２Ｂと対面する位置の固定用板金１８に形成された前後一対の雌ネジ部２３，２３と、基台周枠１５ｃの位置決め穴２２Ａまたは位置決め穴２２Ｂに挿通されて固定用板金１８の雌ネジ部２３にネジ止めされる段付きネジ２４と、から構成されている。
【００１７】
ドレンパン１４は、基台周枠１５ｃにねじ止めされた後、図７，８に示すように、現地で熱交換器１１の凝縮水を箱状本体５の左右どちらからでも排出可能とするために、当初は水平姿勢にあるドレンパン１４（図７参照）の勾配度合θを上げたい側（図示の例では正面から向かって右側）の段付きねじ２４を位置決め穴２２Ｂから外し、位置決め穴２２Ｂよりも上側位置にある位置決め穴２２Ａに前記の段付きねじ２４を通して固定用板金１８の雌ネジ部２３に螺止させると、向かって右側部分のドレンパン１４が高くなる勾配度合θが付けられる(図８参照)。
【００１８】
以上のように、この空調用室内機によれば、台枠１５は内向きに傾斜した内周板部１５ａと垂れ板部１５ｂとを有し、各支柱１２は内周板部１５ａ上の柱支持部材１７を介して基台周枠１５ｃの内方位置に立設されているので、熱交換器１１からの凝縮水が送風機９からの風によって支柱１２やパネル体６，７などの内壁面に飛散した場合でも、傾斜した内周板部１５ａ上に凝縮水を落として垂れ板部１５ｂからドレンパン１４内へ導くことができる。
更に、ドレンパン１４は、その上面開口縁部１４ａが垂れ板部１５ｂと基台周枠１５ｃの間でそれぞれと離間した位置かつ内周板部１５ａよりも下方で内周板部１５ａと離間した位置に在るように配置されているので、ドレンパン１４からの冷熱の伝導を抑えることができ、これにより支柱１２、パネル体６，７などおよび台枠１５の外表面での結露を抑制できる。
そして、台枠１５の内周板部１５ａが枠内内向きに下る勾配で形成されていて、柱支持部材１７の載置面部１７ａも内周板部１５ａと同じ勾配で形成されているので、柱支持部材１７を内周板部１５ａ上にしっかりと載置支持させることができ、各支柱１２の垂直度も確実に保持できる。
【００１９】
また、ドレンパン１４は段付きねじ２４を用いて基台周枠１５ｃの内壁１５ｆに点接触または線接触で固定されていて、伝熱抑制穴１８ａが固定用板金１８の上面開口縁部１４ａに上下貫通して形成されているので、ドレンパン１４から台枠１５への冷熱の伝導を極力抑えることができ、これにより台枠１５の表面での結露の発生を抑制できる。
そして、ドレンパン１４が勾配可変機構２５の作用により左右方向の勾配度合θを可変にして基台周枠１５ｃ内に設置されているので、空調用室内機を現地に据え付ける際に、現地の状況に応じてドレンパン１４の勾配度合θを調整することができ、左右いずれかの側面からでもドレンパン１４内の凝縮水を排出させることができる。
【００２０】
尚、上記の実施形態では、平面視で四角形状の箱状本体５および４本の支柱１２を例示したが、本発明はそれに限定されるものでない。例えば平面視で三角形状の箱状本体および３本の支柱を用いて成る箱状本体、或いは平面視で五角以上の箱状本体および５本以上の支柱を用いて成る箱状本体も、本発明に含まれることは言うまでもない。
【符号の説明】
【００２１】
５  箱状本体
６  パネル体
７  パネル体
８  天パネル体
９  送風機
１１  熱交換器
１２  支柱
１４  ドレンパン
１４ａ  上面開口縁部
１５  台枠
１５ａ  内周板部
１５ｂ  垂れ板部
１５ｃ  基台周枠
１５ｄ  上辺部
１５ｅ  内向き先端部
１５ｆ  内壁
１７  柱支持部材
１７ａ  載置面部
１７ｂ  貫通穴
１７ｃ  支持部
１７ｄ  竪板部
１８  固定用板金
１８ａ  伝熱抑制穴
２２Ａ，２２Ｂ  位置決め穴
２３  雌ネジ部
２４  段付きねじ
２５  勾配可変機構
２６  排水口
θ  勾配度合
Ｓ１  隙間
Ｓ２  隙間
【図１】
2017022072.tif 000003
【図２】
2017022072.tif 000004
【図３】
2017022072.tif 000005
【図４】
2017022072.tif 000006
【図５】
2017022072.tif 000007
【図６】
2017022072.tif 000008
【図７】
2017022072.tif 000009
【図８】
2017022072.tif 000010
【国際調査報告】
2017022072.tif 000011
2017022072.tif 000012
2017022072.tif 000013
2017022072.tif 000014